(57)【要約】【課題】捲回型の発電要素を備え、かつ、筒状に形成されたラミネートフィルムを外装体として備える電池であって、信頼性の高い電池を提供すること。【解決手段】発電要素１２０と、外装体１０２と、リード板１５０、１６０とを備え、発電要素１２０は、正極１２２、負極１２３、およびセパレータ１２４、１２５が捲回されることで形成されており、外装体１０２は、筒状のラミネートフィルムの両端部が封止されることで形成されており、リード板１５０または１６０は、発電要素１２０の正極１２２および負極１２３のいずれか一方に接続され、外装体１０２の封止された両端部の一方の端部から外方に突出し、リード板１５０、１６０の幅は、発電要素１２０の幅の３分の１以上であって、かつ、外装体１０２の端部の幅の４分の３以下である電池１００。【選択図】図５
2014099271.tif 000002
【特許請求の範囲】
【請求項１】
発電要素と、前記発電要素を内包する外装体と、前記発電要素に接続されたリード板とを備え、
前記発電要素は、正極、負極、および前記正極と前記負極との間に配置されたセパレータが捲回されることで形成されており、
前記外装体は、筒状のラミネートフィルムの両端部が封止されることで形成されており、
前記リード板は、前記発電要素の前記正極および前記負極のいずれか一方に接続され、前記外装体の封止された前記両端部の一方の端部から外方に突出し、
前記リード板の幅は、前記発電要素の幅の３分の１以上であって、かつ、前記外装体の前記端部の幅の４分の３以下である
電池。
【請求項２】
前記リード板の幅は、前記発電要素の最内周の長径幅以下である
請求項１記載の電池。
【発明の詳細な説明】
【技術分野】
【０００１】
本発明は、ラミネートフィルムで形成された外装体を備える電池に関する。
【背景技術】
【０００２】
従来、ラミネートフィルムで形成された外装体を備える電池が存在する。例えば、特許文献１には、複数の正極体、負極体、およびセパレータを有し、これら正極体と負極体とセパレータとが積層された積層型の発電要素を備えるフィルム外装電池が開示されている。具体的には、このフィルム外装電池では、発電要素の形状に合わせて成型された２枚のラミネートフィルムの周縁部が熱溶着されることで外装体が形成されている。
【０００３】
特許文献１には、このようなフィルム外装電池を、発電要素における活物質領域の幅と、電極端子の幅との比率が所定の条件を満たすように構成することで、発熱の低減を図る技術について開示されている。
【先行技術文献】
【特許文献】
【０００４】
【特許文献１】特開２００３−２２９１１７号公報
【発明の概要】
【発明が解決しようとする課題】
【０００５】
ここで、ラミネートフィルムの外装体を備える電池の構成としては、上記従来の電池の構成以外の各種の構成が考えられる。例えば、電池に内蔵する発電要素として、正極と負極とをセパレータを介して捲回した捲回型の発電要素を採用することが考えられる。
【０００６】
また、本願発明者らは、捲回型の発電要素を内包する外装体として、ラミネートフィルムの長手方向の両端部を溶着等によって接続することで得られる筒状（チューブ状ともいう）の外装体を採用することを考えた。
【０００７】
このような、捲回型の発電要素と、筒状に形成されたラミネートフィルムである外装体を備える電池の場合、外装体に発電要素等を挿入した後に、発電要素に接続されたリード板が外装体の開口した端部から突出した状態で、当該端部を例えば熱溶着により封止する必要がある。
【０００８】
つまり、この場合、例えば長円形状に開口した端部が扁平状に変形されながら封止されるため、封止された端部の幅が外装体の本体部分の幅よりも大きくなるなど、発電要素の形状に合わせて成型された外装体とは異なる構造上の特徴が生じると考えられる。
【０００９】
また、捲回型の発電要素の場合、正極および負極には湾曲した部分が必ず存在するという、例えば積層型の発電要素とは異なる構造上の特徴が存在する。
【００１０】
したがって、捲回型の発電要素を備え、かつ、筒状に形成されたラミネートフィルムを外装体として備える電池の場合、上記従来の電池とは異なる観点から、安全性の確保および品質の維持等を目的とした設計が必要である。
【００１１】
特に大電流が要求される電池の場合、当該電池の構成に応じて、大電流放電に起因する発熱等の問題に的確に対処する必要がある。
【００１２】
本発明は、上記課題を考慮し、捲回型の発電要素を備え、かつ、筒状に形成されたラミネートフィルムを外装体として備える電池であって、信頼性の高い電池を提供することを目的とする。
【課題を解決するための手段】
【００１３】
上記目的を達成するために、本発明の一態様に係る電池は、発電要素と、前記発電要素を内包する外装体と、前記発電要素に接続されたリード板とを備え、前記発電要素は、正極、負極、および前記正極と前記負極との間に配置されたセパレータが捲回されることで形成されており、前記外装体は、筒状のラミネートフィルムの両端部が封止されることで形成されており、前記リード板は、前記発電要素の前記正極および前記負極のいずれか一方に接続され、前記外装体の封止された前記両端部の一方の端部から外方に突出し、前記リード板の幅は、前記発電要素の幅の３分の１以上であって、かつ、前記外装体の前記端部の幅の４分の３以下である。
【００１４】
この構成によれば、リード板の幅が上記範囲内であることで、大電流放電が可能になるとともに、外装体のリード板が突出した辺の封止の信頼性が確保される。
【００１５】
例えば、リード板の幅が小さいために、大電流放電の際のリード板の発熱量が大きくなり、その結果、リード板を挟んで熱溶着された開口部の封止の信頼性が低下するような不具合の発生が抑制される。
【００１６】
また、例えば、リード板の幅が大きいために、外装体の開口部の熱溶着の際の熱がリード板を介して発電要素に伝わり、その結果、当該開口部の封止の信頼性が低下するような不具合の発生が抑制される。
【００１７】
また、本発明の一態様に係る電池において、前記リード板の幅は、前記発電要素の最内周の長径幅以下であるとしてもよい。
【００１８】
この構成によれば、リード板を、捲回型の発電要素の最内周の内側に挿入した状態で、リード板と発電要素とを接続することができる。つまり、平板状のリード板が、発電要素の正極または負極の湾曲した部分を圧迫することのない状態で、リード板と発電要素とを接続することが可能となる。
【００１９】
その結果、例えば、リード板が正極または負極を圧迫することに起因する内部短絡等の不具合の発生が抑制される。
【発明の効果】
【００２０】
本発明によれば、捲回型の発電要素を備え、かつ、筒状に形成されたラミネートフィルムを外装体として備える電池であって、信頼性の高い電池を提供することができる。
【図面の簡単な説明】
【００２１】
【図１】実施の形態における電池の外観を示す斜視図である。
【図２】実施の形態における電池の分解斜視図である。
【図３】実施の形態における発電要素の構成を示す斜視図である。
【図４】両端部が封止される前後の電池の側面図である。
【図５】両端部が封止された後の電池の端部の上面図である。
【図６】捲回型の発電要素の断面の概要を示す図である。
【発明を実施するための形態】
【００２２】
以下に、本発明の実施形態に係る電池について、図面を参照しながら説明する。なお、各図は、模式図であり、必ずしも厳密に図示したものではない。
【００２３】
また、以下で説明する実施の形態は、本発明の一具体例を示すものである。以下の実施の形態で示される数値、形状、材料、構成要素、構成要素の配置位置及び接続形態、生産工程の順序などは、一例であり、本発明を限定する主旨ではない。また、以下の実施の形態における構成要素のうち、最上位概念を示す独立請求項に記載されていない構成要素については、任意の構成要素として説明される。
【００２４】
まず、図１〜図５を用いて、本発明の実施の形態における電池１００の全般的な説明を行う。
【００２５】
図１は、実施の形態における電池１００の外観を示す斜視図である。
【００２６】
図２は、実施の形態における電池１００の分解斜視図である。
【００２７】
図３は、実施の形態における発電要素１２０の構成を示す斜視図である。
【００２８】
実施の形態における電池１００は、充放電することのできる二次電池であり、例えば、非水電解質二次電池である。
【００２９】
非水電解質二次電池としては、例えば、正極活物質がコバルト酸リチウムなどのリチウム遷移金属酸化物であり、負極活物質が炭素材料であるリチウムイオン二次電池を挙げることができる。
【００３０】
なお、電池１００の種類は、非水電解質二次電池には限定されず、非水電解質二次電池以外の二次電池であってもよく、また、一次電池であってもよい。
【００３１】
電池１００は、図１および図２に示すように、外装体１０２と、発電要素１２０と、正極リード板１５０および負極リード板１６０とを備える。
【００３２】
外装体１０２は、複数の層で構成される筒状のラミネートフィルムの両端部が封止されることで形成されている。つまり、外装体１０２は、両端部が封止される前は、図２に示すように、両端部が開口した筒形状である。
【００３３】
また、電池１００の外装体１０２の内部には電解液などの液体が封入されているが、当該液体の図示および説明は省略する。
【００３４】
発電要素１２０と接続された正極リード板１５０および負極リード板１６０は、外装体１０２から露出しており、正極リード板１５０および負極リード板１６０に電気的に接続された装置に、発電要素１２０からの電力が供給される。
【００３５】
発電要素１２０は、図３に示すように、正極１２２および負極１２３と、２枚のセパレータ１２４、１２５とが交互に積層されるように捲回されることで形成されている。
【００３６】
つまり、発電要素１２０は、正極１２２と、セパレータ１２４と、負極１２３と、セパレータ１２５とがこの順に積層され、かつ、断面が長円形状になるように捲回されることで形成されている。
【００３７】
正極１２２は、アルミニウムからなる長尺帯状の金属箔の表面に、正極活物質を含む合剤層が形成されたものである。
【００３８】
正極１２２が有する合剤層に含まれる正極活物質としては、例えば、ＬｉＭＰＯ４、ＬｉＭＳｉＯ４、ＬｉＭＢＯ３（ＭはＦｅ、Ｎｉ、Ｍｎ、Ｃｏ等から選択される１種または２種以上の遷移金属元素）等のポリアニオン化合物、チタン酸リチウム、マンガン酸リチウム等のスピネル化合物、ＬｉＭＯ２（ＭはＦｅ、Ｎｉ、Ｍｎ、Ｃｏ等から選択される１種または２種以上の遷移金属元素）等のリチウム遷移金属酸化物等を用いることができる。
【００３９】
負極１２３は、銅からなる長尺帯状の金属箔の表面に、負極活物質層を含む合剤層が形成されたものである。
【００４０】
負極１２３が有する合剤層に含まれる負極活物質としては、例えばリチウムイオンを吸蔵放出可能な負極活物質であれば、適宜公知の材料を使用できる。例えば、リチウム金属、リチウム合金（リチウム−アルミニウム、リチウム−シリコン、リチウム−鉛、リチウム−錫、リチウム−アルミニウム−錫、リチウム−ガリウム、およびウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、金属酸化物、リチウム金属酸化物（Ｌｉ４Ｔｉ６Ｏ１２等）、ポリリン酸化合物などが挙げられる。
【００４１】
このように構成された発電要素１２０において、より具体的には、正極１２２と負極１２３とは、セパレータ１２４、１２５を介し、捲回軸方向（Ｘ軸方向）に互いにずらして捲回されている。
【００４２】
そして、正極１２２および負極１２３は、それぞれのずらされた方向の端縁部に、活物質を含む合剤層が形成されていない部分（合剤層非形成部）を有する。
【００４３】
具体的には、正極１２２は、捲回軸方向の一端に、合剤層が形成されていない合剤層非形成部が積層された積層部１２２ａを有している。また、負極１２３は、捲回軸方向の他端に、合剤層が形成されていない合剤層非形成部が積層された積層部１２３ａを有している。
【００４４】
つまり、正極１２２の露出した金属箔の層によって積層部１２２ａが形成され、負極１２３の露出した金属箔の層によって積層部１２３ａが形成されている。
【００４５】
なお、正極１２２の金属箔および負極１２３の金属箔の厚みは、ともに、例えば５μｍ〜２０μｍのうちのいずれかの値である。また、これら金属箔は、それぞれ、およそ３０層重ねられることで、積層部１２２ａおよび積層部１２３ａを形成している。
【００４６】
正極リード板１５０は、積層部１２２ａに取り付けられることで発電要素１２０の正極１２２と接続される。
【００４７】
具体的には、積層部１２２ａにおいてＺ軸方向に並ぶ金属箔の層と層のとの間に正極リード板１５０の端部が差し込まれ、例えば、正極リード板１５０を挟んで積層部１２２ａの上下から加圧しながら超音波による振動が与えられる。つまり、超音波溶接によって、正極リード板１５０が発電要素１２０の正極１２２と接続される。
【００４８】
また、負極リード板１６０は、積層部１２３ａに取り付けられることで発電要素１２０の負極１２３と接続される。
【００４９】
具体的には、正極リード板１５０と同様に、積層部１２３ａにおける金属箔の層と層のとの間に負極リード板１６０の端部が差し込まれ、例えば超音波溶接によって、負極リード板１６０と発電要素１２０の負極１２３とが接続される。
【００５０】
なお、正極リード板１５０の素材は、例えば正極１２２の基材の金属箔と同じく、アルミニウムであり、負極リード板１６０の素材は、例えば負極１２３の基材の金属箔と同じく、銅である。
【００５１】
また、発電要素１２０と、正極リード板１５０および負極リード板１６０との接続の手法に特に限定はなく、例えば、リベットまたはボルト等を用いて、発電要素１２０と、正極リード板１５０および負極リード板１６０とが締結されてもよい。
【００５２】
このように、溶接または締結等の手法によって、正極リード板１５０および負極リード板１６０が取り付けられた発電要素１２０は、両端部が開口した筒状の外装体１０２に挿入され、その後、これら両端部が封止される。
【００５３】
図４は、両端部が封止される前後の電池１００の側面図である。
【００５４】
図５は、両端部が封止された後の電池１００の端部の上面図である。
【００５５】
本実施の形態における外装体１０２を形成するラミネートフィルムは、例えば、金属層の一方の面にベースフィルム層を積層すると共に他方の面にシーラント層を積層した３層構造の矩形のフレキシブルなラミネートフィルムである。
【００５６】
シーラント層は、ポリエチレンまたはポリプロピレンなどの熱可塑性樹脂の層である。シーラント層の厚みは、例えば５０μｍ〜４００μｍまでのいずれかの値であり、より好ましくは１００μｍ〜３００μｍまでのいずれかの値である。
【００５７】
また、このようなラミネートフィルムの長手方向の両端部を溶着等によって接続することで筒状に形成され、その結果、筒状の外装体１０２が得られる。
【００５８】
具体的には、外装体１０２の内部に発電要素１２０を収容した場合に、発電要素１２０の捲回軸周りの外周にほぼフィットするように外装体１０２のサイズが決定される。
【００５９】
また、図４の（ａ）に示すように、筒状の外装体１０２の両端部の一方から、正極リード板１５０および負極リード板１６０が取り付けられた発電要素１２０が挿入される。
【００６０】
その後、正極リード板１５０および負極リード板１６０のそれぞれを挟み込むようにして、両端部が、熱源を用いた加熱溶着、電磁波を用いた高周波溶着、または超音波振動を用いた超音波溶着等の手法によって溶着される。
【００６１】
その結果、図４の（ｂ）に示すように、リード板（１５０、１６０）が両端部から突出した状態で、外装体１０２の両端部が封止され、外装体１０２の両端部にシール部１０３が形成される。
【００６２】
なお、シール部１０３には、外装体１０２の端部の内面のシーラント層同士が直接的に重ねられる部分と、金属板であるリード板（１５０、１６０）が当該端部の内面の間に介在している部分とが存在する。
【００６３】
また、正極リード板１５０および負極リード板１６０のそれぞれには、シール部１０３に対応する表面領域に、予めポリプロピレン等の樹脂層が形成されている。そのため、シール部１０３の形成の際の加熱により、当該樹脂層が外装体１０２の端部の内面のシーラント層と溶着される。
【００６４】
このようにして、外装体１０２の、正極リード板１５０が突出した正極側の端部と、負極リード板１６０が突出した負極側の端部とに、熱溶着によるシール部１０３が形成される。
【００６５】
また、より具体的には、外装体１０２の両端部の一方が封止された後に、他方の端部から、真空脱気が行われ、外装体１０２の内部空間に電解液が充填される。
【００６６】
電解液が外装体１０２の内部空間に充填された後で、再度真空脱気が行われることで外装体１０２の内部空間の発電要素１２０は圧力がかけられた状態となる。
【００６７】
その後、外装体１０２の、当該他方の端部が熱溶着により封止され、これにより、発電要素１２０および電解液は外装体１０２の内部に真空状態で密閉される。
【００６８】
このように、実施の形態の電池１００では、筒状に形成されたラミネートフィルムを外装体１０２として備えるため、略長円形状の開口部（図２参照）を扁平状に変形させながら封止する作業が行われる。
【００６９】
その結果、図５に示すように、外装体１０２のシール部１０３の幅ｂは、発電要素１２０の外周にほぼフィットするように作成された外装体１０２の本体部（発電要素１２０を収容している部分）よりも広くなる。つまり、外装体１０２のシール部１０３の幅ｂは、発電要素１２０の幅ａよりも大きい。
【００７０】
また、正極リード板１５０および負極リード板１６０は、上述のように、積層部１２２ａおよび積層部１２３ａのそれぞれに差し込まれて取り付けられる。そのため、正極リード板１５０および負極リード板１６０の幅ｃは、発電要素１２０の幅ａ以下である。
【００７１】
なお、図５では、電池１００の正極側の図示は省略しているが、本実施の形態では、正極側のシール部１０３の幅もｂであり、正極リード板１５０の幅もｃである。
【００７２】
以上のように、発電要素１２０の幅ａと、シール部１０３の幅ｂと、正極リード板１５０および負極リード板１６０の幅ｃとは、ｃ≦ａ＜ｂの関係にある。
【００７３】
なお、以下では、正極リード板１５０および負極リード板１６０それぞれを指す用語として、単に「リード板」と記載する。
【００７４】
このようなサイズ上の制限を有する電池１００において、リード板の幅ｃを決定するに際し、本願発明者らは、リード板の幅ｃが互いに異なる複数の電池１００を用意し、それぞれの電池１００について放電による不具合の発生の有無等を調べる実験を行った。
【００７５】
その結果、以下に説明するように、リード板の幅ｃが、発電要素１２０の幅ａおよびシール部１０３の幅ｂとの関係において、所定の範囲であることが望ましいとの結論を得た。
【００７６】
なお、以下に示す実験例のそれぞれに用いた電池１００の共通する仕様は以下の通りである。
【００７７】
容量：２０Ａｈ
正極活物質：ＬｉＦｅＰＯ４
負極活物質：カーボン
外装体１０２のシーラント層の素材：ポリプロピレン
リード板に形成された溶着のための樹脂層の素材：ポリプロピレン
リード板の厚み：０．５ｍｍ
発電要素１２０の幅ａ：７０ｍｍ
シール部１０３の幅ｂ：８０ｍｍ
【００７８】
さらに、このような電池１００に、２０Ｃ放電（つまり４００Ａの放電）を１分間行わせることで、電池１００に発生する不具合の有無等を調査した。
【００７９】
［１．リード板の幅と発電要素の幅との関係］
例えば、電池１００の生産コストの削減および軽量化等の観点から考えた場合、リード板の幅ｃを小さくした方が有利である。しかしながら、発電要素１２０からの大電流をリード板を介して出力するという観点から考えると、リード板の幅ｃが小さい場合、放電時の発熱量が高くなるため、例えば、シール部１０３の信頼性の低下という別の問題が発生し得る。
【００８０】
そこで、本願発明者らは、発電要素１２０の幅ａ（７０ｍｍ）とリード板の幅ｃとの比を変えながら、放電によってシール部１０３に不具合が生じるか否かについての実験を行った。その結果を下記の表１に示す。
【００８１】
【表１】
2014099271.tif 000003
【００８２】
この表１に示されるように、リード板の幅ｃがａ／３以上であれば、シール部１０３に溶解等の実質的な問題は発生しないことがわかる。
【００８３】
ここで、シール部１０３において溶着される部分の素材はポリプロピレン（ＰＰ）であり、その融点はおよそ１５０℃である。
【００８４】
つまり、リード板の幅ｃがａ／３より小さい場合、放電によるリード板の発熱が１５０℃程度にまで上昇し、その結果、シール部１０３の溶解等の問題が生じたと考えられる。言い換えると、リード板の幅ｃがａ／３以上である場合、表面積が比較的に大きくなることで、放熱性が向上し、シール部１０３を溶解させるまでの高温に到達しないと考えられる。
【００８５】
以上から、電池１００において、リード板の幅ｃは、ａ／３以上が適切であると考えられる。
【００８６】
［２．シール部の幅とリード板の幅との関係］
上記のように、放電時の発熱のシール部１０３に対する影響という観点からは、リード板の幅ｃを大きくすることで、リード板の放熱性を向上させた方が有利である。
【００８７】
しかし、リード板の幅ｃを大きくした場合、例えば、シール部１０３の形成のための、外装体１０２の端部に加えられる熱が、リード板を介して逃げ易くなるという問題が生じ得る。つまり、シール部１０３の幅ｂに対するリード板の幅ｃの比を大きくすることに起因して、シール部に不具合が生じることが推定される。
【００８８】
そこで、本願発明者らは、シール部１０３の幅ｂ（８０ｍｍ）とリード板の幅ｃとの比を変えながら、放電によってシール部１０３に不具合が生じるか否かについての実験を行った。その結果を下記の表２に示す。
【００８９】
【表２】
2014099271.tif 000004
【００９０】
この表２に示されるように、リード板の幅ｃが３ｂ／４以下であれば、シール部１０３に不良は発生しないことがわかる。なお、本実験では、シール部１０３からの電解液のリークの発生が確認されることにより、シール部１０３の不良の発生を確認した。
【００９１】
このような、シール部１０３の幅ｂに対するリード板の幅ｃの比と、シール部１０３の不良発生率との相関性は、以下のように説明される。
【００９２】
シール部１０３を形成する際、例えば、外装体１０２の端部を発熱体により一定時間挟んで外装体１０２におけるシーラント層の素材、およびリード板表面の樹脂層の素材であるＰＰを溶融させることでシール部１０３が形成される。
【００９３】
ここで、当該端部（筒状の外装体１０２の開口部）においてリード板がない部分は、外装体１０２におけるシーラント層を形成する樹脂フィルムが直接重ねられた状態であるため、熱溶着による封止は比較的に容易である。
【００９４】
一方、当該端部において金属製のリード板が介在する部分は、発熱体から加えられる熱がリード板を介して逃げやすい。そのため、当該部分の溶着を十分に行うためには、リード板の幅ｃを大きくするのに従って、発熱体の発熱量を増大させる必要がある。
【００９５】
しかしながら、リード板の幅ｃが上記の閾値（３ｂ／４）を超えた場合においては、シール部１０３におけるリード板が介在する部分の溶着は良好である一方で、リード板が介在しない部分への加熱が過多となる。その結果、外装体１０２の端部の溶融が進みすぎてシール部１０３が薄くなるという問題を生じる。
【００９６】
シール部１０３の、この薄くなった部分が不良（電解液のリークの発生）の原因であると思われる。
【００９７】
なお、この問題は、例えば、シール部１０３の形成時における発熱体の発熱量を、熱を与える場所によってきめ細かに変えることによって解決することも可能である。
【００９８】
しかし、この場合、電池１００の生産に係る設備の設計が煩雑であり、これに伴って、設備コストおよび管理コストが上がるため、結果として、製品（電池１００）のコストの上昇という新たな問題が発生する。すなわち発熱体の発熱量の制御による解決策は、現実的には採用が困難である。
【００９９】
従って、電池１００において、リード板の幅ｃは、３ｂ／４以下が適切であると考えられる。
【０１００】
以上のように、本実施の形態の電池１００は、リード板が接続された捲回型の発電要素１２０と、発電要素１２０を収容する筒状の外装体１０２を備える。外装体１０２は、筒状のラミネートフィルムの両端部が封止されることで形成されており、これら両端部の一方から正極リード板１５０が突出し、他方から負極リード板１６０が突出している。
【０１０１】
本願発明者らは、このような構成の電池１００において、リード板（正極リード板１５０および負極リード板１６０のそれぞれ）の幅ｃの、発電要素１２０の幅ａおよび外装体１０２の端部（本実施の形態におけるシール部１０３）の幅ｂによって規定される範囲であって、電池１００の信頼性が向上される範囲を見出した。
【０１０２】
具体的には、本願発明者らは、リード板の幅ｃを、発電要素１２０の幅ａの３分の１以上であって、かつ、シール部１０３の幅ｂの４分の３以下とすることで、放電時におけるリード板での放熱性およびシール部１０３の信頼性が確保された電池１００が実現されることを見出した。
【０１０３】
［３．発電要素の幅の大きさに起因するその他の不具合について］
本願発明者らは、鋭意検討とさらなる実験の結果、リード板の幅ｃが大きいことに起因して発生し得る発電要素１２０の不具合という観点から、リード板の幅ｃの好ましい上限を見出した。
【０１０４】
具体的には、リード板の幅ｃを変えながら、放電によって発電要素１２０に内部短絡が生じるか否かについての実験を行った。その結果を下記の表３に示す。
【０１０５】
【表３】
2014099271.tif 000005
【０１０６】
この表３に示されるように、リード板の幅ｃが、５０ｍｍ以下である場合、発電要素１２０に内部短絡は発生しないことが分かる。
【０１０７】
なお、本実験では、上述のように２０Ｃ放電を１分間行った後に、放電によって降下した電池１００の電圧が所定の値まで回復しないことを確認することで、発電要素１２０における内部短絡の発生を確認した。
【０１０８】
このような、リード板の幅ｃと、発電要素１２０における内部短絡の発生率との相関性は、以下のように説明される。
【０１０９】
本実施の形態の電池１００が備える発電要素１２０は捲回型であり、例えば図３からも分かるように、正極１２２および負極１２３はともに、幅方向（Ｙ軸方向）の両端に湾曲した部分を有している。
【０１１０】
つまり、平板状であるリード板の幅ｃを大きくした場合に、以下のような不具合が発生し得ると考えられる。すなわち、リード板の幅方向の両端が、正極１２２または負極１２３の湾曲した部分を圧迫し、これにより、セパレータ１２４または１２５に亀裂が生じ、その結果、正極１２２と負極１２３との間で短絡が生じると考えられる。
【０１１１】
より具体的には、本実験に用いた発電要素１２０における、正極１２２、負極１２３、セパレータ１２４および１２５の捲回中心となる平板状の巻芯（図示せず）の幅は５０ｍｍである。つまり、発電要素１２０の最内周の長径幅は５０ｍｍである。
【０１１２】
図６は、捲回型の発電要素１２０の断面の概要を示す図である。
【０１１３】
図６に示すように、捲回型の発電要素１２０の最内周の長径幅ｗが５０ｍｍである場合、正極１２２および負極１２３の、湾曲していない平面部分の最大幅は５０ｍｍである。
【０１１４】
そのため、リード板の幅ｃが５０ｍｍ以下であれば、発電要素１２０の正極１２２または負極１２３の湾曲した部分を圧迫することのない状態で、リード板と発電要素１２０とを接続することができる。
【０１１５】
例えば、積層部１２２ａおよび１２３ａ（図３参照）のそれぞれの最内周の内側に、リード板を無理なく挿入することができる。なお、この場合、発電要素１２０の上下方向（Ｚ軸方向）の中央部分にリード板が配置されるため、外装体１０２の端部を封止する際に（図４参照）、当該端部を均等に上下から押圧しながら加熱することができる。その結果、例えば、シール部１０３の信頼性が向上する。
【０１１６】
一方、リード板の幅ｃが５０ｍｍより大きい場合、積層部１２２ａおよび１２３ａのそれぞれの最内周の内側にリード板を挿入することはできない。
【０１１７】
そのため、例えば、幅ｃが５０ｍｍより大きい負極リード板１６０は、発電要素１２０の最内周よりも外側であって、積層部１２３ａにおいてＺ軸方向に並ぶ金属箔の層と層との間に、その端部が挿入された状態で、発電要素１２０と接続される。
【０１１８】
この場合、平板状の負極リード板１６０の幅方向の両端が、負極１２３の湾曲部分を外側に押し広げるように圧迫した状態となるため、セパレータ１２４または１２５に応力（例えば引張応力）が生じ得る。
【０１１９】
つまり、負極リード板１６０の幅ｃが大きいほど、セパレータ１２４または１２５に生じる応力が大きくなり、その結果、セパレータ１２４または１２５に亀裂が生じ易くなると考えられる。
【０１２０】
以上から、リード板の幅ｃは、発電要素１２０の最内周の長径幅ｗ以下であることが、より好ましいと考えられる。
【０１２１】
なお、発電要素１２０の最外周に近いほど、正極１２２および負極１２３の湾曲部分の曲率半径が大きくなる（湾曲が緩やかになる）。
【０１２２】
そのため、リード板の幅ｃが、発電要素１２０の最内周の長径幅ｗよりも大きい場合、発電要素１２０の内部短絡の発生を防止する観点からは、積層部１２２ａまたは１２３ａにおいて、できるだけ最外周に近い位置にリード板が挿入されることが好ましい。
【０１２３】
以上、本発明の実施の形態に係る電池１００について説明したが、本発明は、この実施の形態に限定されるものではない。
【０１２４】
つまり、今回開示された実施の形態は全ての点で例示であって制限的なものではないと考えられるべきである。本発明の範囲は特許請求の範囲によって示され、特許請求の範囲と均等の意味及び範囲内での全ての変更が含まれることが意図される。
【産業上の利用可能性】
【０１２５】
本発明は、捲回型の発電要素を備え、かつ、筒状に形成されたラミネートフィルムを外装体として備える電池であって、信頼性の高い電池を提供することができる。従って、本発明に係る電池は、大電流を長時間必要とする自動車および航空機等に搭載される電池として有用である。
【符号の説明】
【０１２６】
１００  電池
１０２  外装体
１０３  シール部
１２０  発電要素
１２２  正極
１２２ａ、１２３ａ  積層部
１２３  負極
１２４、１２５  セパレータ
１５０  正極リード板
１６０  負極リード板
【図１】
2014099271.tif 000006
【図２】
2014099271.tif 000007
【図３】
2014099271.tif 000008
【図４】
2014099271.tif 000009
【図５】
2014099271.tif 000010
【図６】
2014099271.tif 000011